(57)【要約】      （修正有）【課題】密封状袋体の内部での楊枝が所定位置から移動することなく、安全に密封袋を開封可能な完封箸を提供する。【解決手段】箸本体１と楊枝２が密封状袋体３に収納された完封箸であって、密封状袋体３の内部が、箸本体が収納される主収納空間部31と、楊枝が収納される副収納空間部32とに区画形成されることにより、密封状袋体内での楊枝の移動を規制でき、密封状袋体内のどこに楊枝があるのか容易かつ迅速に確認でき、開封作業の際に、楊枝先端が開封者の指や唇を傷つけるのを防止できる。【選択図】図１
2014218266.tif 000002
【特許請求の範囲】
【請求項１】
箸本体（１）と楊枝（２）が密封状袋体（３）に収納された完封箸に於て、
上記密封状袋体（３）の内部が、上記箸本体（１）が収納される主収納空間部（31）と、上記楊枝（２）が収納される副収納空間部（32）と、に区画形成されていることを特徴とする完封箸。
【発明の詳細な説明】
【技術分野】
【０００１】
本発明は、完封箸に関する。
【背景技術】
【０００２】
従来、樹脂フィルム製の密封状袋体の内部に割箸を収納した完封箸（完全包装箸や密封箸と呼ばれる場合もある）は、密封状袋体の内部に楊枝を収納したものがある（例えば、特許文献１参照）。
【先行技術文献】
【特許文献】
【０００３】
【特許文献１】登録実用新案第３０４３１２５号公報
【発明の概要】
【発明が解決しようとする課題】
【０００４】
しかし、密封状袋体の内部で楊枝が移動すると割箸と楊枝が重なって楊枝の位置確認ができない場合や、開封用切目近傍に楊枝先端が移動していることがあり、そのまま密封状袋体を開封すると、楊枝先端で開封者の手や唇を傷つけてしまう虞があった。
そこで、本発明は、密封状袋体の内部での楊枝が所定位置から移動することなく、安全に密封袋を開封可能な完封箸の提供を目的とする。
【課題を解決するための手段】
【０００５】
上記目的を達成するために、本発明の完封箸は、箸本体と楊枝が密封状袋体に収納された完封箸に於て、密封状袋体の内部が、箸本体が収納される主収納空間部と、楊枝が収納される副収納空間部と、に区画形成されているものである。
【発明の効果】
【０００６】
本発明によれば、密封状袋体内での楊枝の移動を規制でき、密封状袋体内のどこに楊枝があるのか容易かつ迅速に確認できる。楊枝が密封状袋体の内部において所定位置から移動せず、開封作業の際に、楊枝先端が開封者の指や唇を傷つけるのを防止できる。
【図面の簡単な説明】
【０００７】
【図１】本発明の実施の一形態の正面図である。
【図２】図１のＡ−Ａ断面図である。
【図３】他の実施形態の正面図である。
【発明を実施するための形態】
【０００８】
以下、図示の実施形態に基づき本発明を詳説する。
本発明に係る完封箸は、図１に示すように、正面視縦長矩形状の密封状袋体３の内部に、割箸等の箸本体１と、楊枝（爪楊枝）２と、を収納したものである。
【０００９】
図１及び図２に示すように、密封状袋体３は、１枚の樹脂フィルム製の帯状体30から成り、帯状体30の幅方向中心線を折目として二つ折りして形成した折曲縦側縁部51と、その二つ折りにて対面状となった帯状体30の縦側縁部30ｄ，30ｄ同士（図２参照）を熱融（溶）着して一体状に密着させた密着縦側縁部52と、（帯状体30）の長手方向Ｎに所定間隔寸法をもって、（帯状体30の）幅方向Ｗに沿って熱融着した一対の密着横側縁部53，53と、を有し、正面視で折曲縦側縁部51と密着縦側縁52と一対の密着横側縁部53，53とで外（周）縁を包囲して、内部を、扁平状の密封空間部33としている。  
【００１０】
そして、密封状袋体３の内部（密封空間部33）を、箸本体１を収納する主収納空間部31と、楊枝２を収納する副収納空間部32と、に区画形成している。
【００１１】
密封状袋体３の内部に、箸本体１と楊枝２を、密封状袋体３の長手（縦）方向Ｎに沿って相互に平行状に配設すると共に、密封状袋体３の幅（横）方向Ｗに並設し、箸本体１と密着縦側縁部52の間に楊枝２を配設している。
箸本体１は、密封状袋体３の長手一方側Ｎａに箸先端１ａを向け、長手他方側Ｎｂに箸基端１ｂ（箸持手部）を配設している。
楊枝２は、密封状袋体３の長手一方側Ｎａに楊枝先端（針状端部）２ａを向け、一方の密着横側縁部53に接近させて（箸先端側密着横側縁部53Ａに寄せて）配設している。
【００１２】
さらに、箸本体１と楊枝２の間に、密封状袋体３の表て面側包装部（表て面側包装素材）３ａと裏面側包装部（裏面側包装素材）３ｂを熱融着により一体状に密着させて楊枝２の横移動（幅方向Ｗの移動）を規制した縦仕切密着部55を設けている。
【００１３】
また、楊枝２と他方の密着横側縁部53（箸持手側密着横側縁部53Ｂ）の間、かつ楊枝基端２ｂの近傍に、密着縦側縁部52と縦仕切密着部55の他端55ｂを幅方向Ｗに連結するように密封状袋体３の表て面側包装部３ａと裏面側包装部３ｂを熱融着により一体状に密着して楊枝２の長手他方側Ｎｂへの移動を規制した長手他方規制密着部56ｂ（横仕切密着部56）を設けている。
【００１４】
つまり、密着縦側縁部52の長手一方側部位と、一方の密着横側縁部53（53Ａ）の密着縦側縁部近傍部位と、縦仕切密着部55と、長手他方規制密着部56ｂと、表て面側包装部３ａと、裏面側包装部３ｂと、で楊枝２を包囲する正面視縦長矩形状の副収納空間部32を形成している。
そして、密封状袋体３の内部において副収納空間部32を除いた空間部（残部）を主収納空間部31としている。
【００１５】
また、副収納空間部32に収納されている楊枝２の持手部（基端２ｂ側）に対応して、密着縦側縁部52側の袋縦側縁62から、幅方向Ｗに、副収納空間部32を開封するための楊枝取出用切目（切欠）38を設けている。
【００１６】
また、他方の密着横側縁部53（53Ｂ）近傍の袋縦側縁62から、幅方向Ｗに、主収納空間部31を開封するための箸本体取出用切目（切欠）37を設けている。
【００１７】
また、密封状袋体３は、図示省略するが、表て面側や裏面側に、箸本体取出用切目37や楊枝取出用切目38の位置を案内する文字や図形等の表示部（印刷部）、開封方向を指示する表示部、箸本体１と共に楊枝２が内部に収納されていることを案内する表示部等を有している。
【００１８】
また、副収納空間部32の長手方向の内寸法は、楊枝２の長手方向寸法の１.１倍以上１.５倍未満に設定するのが望ましい、下限値未満であると製造工程において楊枝２の収納（位置決め）が困難となる。上限値以上であると楊枝２が長手方向Ｎに移動して確認が容易にできなくなる虞がある。
【００１９】
次に、図３に示す他の実施形態は、楊枝先端２ａを長手他方側Ｎｂに向け、楊枝基端２ｂを、長手一方側Ｎａに寄せて（接近させて）配設している。
そして、楊枝２と他方の密着横側縁部53（53Ｂ）の間かつ楊枝先端２ａの近傍に、長手他方側Ｎｂへの楊枝２の移動を規制する長手他方規制密着部56ｂ（横仕切密着部56）を設けている。
【００２０】
さらに、楊枝２と一方の密着横側縁部53（53Ａ）の間かつ楊枝基端２ｂの近傍に、密着縦側縁部52と縦仕切密着部55の一端55ａを幅方向Ｗに連結するように密封状袋体３の表て面側包装部３ａと裏面側包装部３ｂを熱融着により一体状に密着して楊枝２の長手一方側Ｎａへの移動を規制する長手一方規制密着部56ａ（横仕切密着部56）を設けている。
【００２１】
つまり、縦仕切密着部55と、縦仕切密着部55と幅方向Ｗに対面状の密着縦側縁部52の部位と、長手一方規制密着部56ａと、長手他方規制密着部56ｂと、表て面側包装部３ａと、裏面側包装部３ｂと、で楊枝２を包囲する正面視縦長矩形状の副収納空間部32を形成している。
【００２２】
また、密封状袋体３の袋横側縁63，63から、長手方向Ｎに、密封状袋体３を開封するための複数の縦裂き用切欠（ノッチ）36を、幅方向Ｗに並設している（鋸刃状乃至波状に設けている）。
また、図示省略するが、図１で説明した幅方向Ｗの箸本体取出用切目37、及び幅方向Ｗの楊枝取出用切目38を設けても良い。なお、図３の実施形態において、説明を省略した他の構成は図１及び図２の実施形態と同じである。
【００２３】
ここで、図１乃至図３の実施形態を言い換えると、縦仕切密着部55と、縦仕切密着部55に幅方向Ｗに対面状の密着縦側縁部52の部位と、幅方向Ｗに沿って配設されると共に長手方向Ｎに所定の間隔寸法をもって配設され楊枝２が長手方向Ｎに移動するのを規制する一対の横仕切密着部56，56と、表て面側包装部３ａと、裏面側包装部３ｂとで、楊枝２を包囲する副収納空間部32を、密封状袋体３の内部に設けている。
横仕切密着部56，56は、密着縦側縁部52と縦仕切密着部55の一端55ａを幅方向Ｗに連結する長手一方規制密着部56ａと、密着縦側縁部52と縦仕切密着部55の他端55ｂを幅方向Ｗに連結する長手他方規制密着部56ｂと、である。
そして、図１の実施形態は、一方の密着横側縁部53（53Ａ）の密着縦側縁部近傍部位を、長手一方規制密着部56ａに併用（共用）した構成である。
【００２４】
また、別の実施形態は、図１において楊枝先端２ａを長手他方側Ｎｂに向け、楊枝基端２ｂを一方の密着横側縁部53（53Ａ）に接近させ、図３の縦裂き用切欠36を設けたものである。
【００２５】
ここで、製造方法について説明すると、帯状の樹脂製フィルムが巻設されたロール体から、送りローラ等で帯状体30を水平面状に引き出しつつ、横断面Ｖ字状乃至倒立ハの字状に配設されたガイド部材によって、引き出される帯状体30を、幅方向中心線を折れ線として折曲げ、横断面Ｖ字状にする。そして、帯状体30の上方位置からＶ字状帯状体30内部のＶ字底に向かって、水平状姿勢の箸本体１を落とし入れる。その後、帯状体30において箸本体１の上方位置に、熱融着装置によって、縦仕切密着部55を所定長さ形成する。その後、帯状体30の上方位置から、縦仕切密着部55上に向かって、水平状の楊枝２を落とし込む。そして、横仕切密着部56、密着横側縁部53，53、密着縦側縁部52、箸本体取出用切目37、楊枝取出用切目38、を形成し、密着横側縁部53，53近傍を切断して（縦裂き用切欠36を形成して）、所定長さ寸法の完封箸（完全包装箸や、密封箸と呼ばれる場合もある）が完成する。
なお、工程の順番は、密着横側縁部成形工程や、横仕切密着部成形工程は、楊枝投入工程の前後いつでも良く、順番は自由である。また、開封用切目成形工程も密着縦側縁部成形工程後であればいつでも良い。つまり、箸本体投入工程後に、縦仕切密着部成形工程があり、縦仕切密着部成形工程後に、楊枝投入工程があり、楊枝投入工程後に密着縦側縁部成形工程があれば、他の工程を行うタイミング（順番）は自由である。
【００２６】
次に、完封箸の使用方法（作用）について説明する。
密封状袋体３内部において、楊枝２は、箸本体１と区画されて収納され、幅方向Ｗ及び長手方向Ｎの移動が規制されるため、箸本体１と楊枝２が重なったり、密着するようなことが防止され、開封する前に使用者が触れる或いは目視するだけで、容易に楊枝２の位置を確認できる。また、楊枝２が収納されていないような誤解を招く虞も防止する。また、楊枝２が密封状袋体３内の所定位置に保持され、楊枝先端２ａが開封用切目（切欠）近傍に移動せず、安全に開封作業を行うことができる。
【００２７】
また、密封状袋体３から箸本体１のみを取り出し、楊枝２を、開封した密封状袋体３内（副収納空間部32）に残存させることができるため、食事中等に楊枝２の紛失を防ぐと共に、衛生的に楊枝２を保管できる。
【００２８】
また、箸持手部側に対応する箸本体取出用切目37と、楊枝持手部側に対応する楊枝２を取り出す専用の楊枝取出用切目38を設けることで、箸本体１の取り出し開封作業、及び、楊枝２の取り出し開封作業において、より安全な開封作業が可能となる。
【００２９】
また、箸先端１ａ側の袋横側縁63（箸先端側密着横側縁部53Ａ）に、楊枝基端２ｂを、寄せて配置すると共に縦裂き用切欠36を設けた場合（図３参照）は、箸基端１ｂ側の縦裂き用切欠36から、縦に裂いて開封しても、楊枝先端２ａに指や唇が到達する前に、箸本体１を取り出すのに十分な開封口を形成できるため、開封者が開封作業を停止し、指や唇に楊枝先端２ａが接触するのを防止できる。
また、箸先端１ａ側の縦裂き用切欠36から、縦に裂いて開封して、楊枝２に指や唇が接触したとしても、楊枝基端２ｂ側であり、楊枝先端２ａが刺さるような痛みやケガを防止できる。
【００３０】
また、密着横側縁部53を、横仕切密着部56と、併用すると、密着成形の工程数や時間を削減でき、製造を容易かつ迅速に行うことができる。
【００３１】
なお、本発明は、設計変更可能であって、密封状袋体３の材質は、ポリプロピレン等の透明樹脂が望ましいが、樹脂製に限らず紙製とするも良い。また、各密着部は、熱加熱されたローラや押圧板を用いた熱融着、高周波融（溶）着、超音波融（溶）着等の熱融（溶）着に限らず、糊等の粘着剤や接着剤による接着（貼着）等で一体状に密着させても良い。楊枝先端２ａと楊枝基端２ｂの向きは自由である、例えば、図１に於て、楊枝先端２ａが長手他方側Ｎｂに向くように配設しても良く、図３に於て、楊枝先端２ａが長手一方側Ｎａに向くように配設しても良い。また、楊枝２は、密封状袋体３の長手他方側Ｎｂ寄りや、密封状袋体３の長手方向Ｎの略中央位置に配設しても良い。
なお、図１及び図３に於て、表て面側包装部３ａと裏面側包装部３ｂを一体状に密着させた部位を網かけで図示している。
【００３２】
以上のように、本発明の完封箸は、箸本体１と楊枝２が密封状袋体３に収納された完封箸に於て、密封状袋体３の内部が、箸本体１が収納される主収納空間部31と、楊枝２が収納される副収納空間部32と、に区画形成されているので、密封状袋体３内での楊枝２の移動を規制でき、密封状袋体３内のどこに楊枝２があるのか容易かつ迅速に確認できる。楊枝２が密封状袋体３の内部において所定位置から移動せず、開封作業の際に、楊枝先端２ａが開封者の指や唇を傷つけるのを防止できる。
【符号の説明】
【００３３】
１  箸本体
２  楊枝
３  密封状袋体
31  主収納空間部
32  副収納空間部
【図１】
2014218266.tif 000003
【図２】
2014218266.tif 000004
【図３】
2014218266.tif 000005